(57)【要約】【課題】  燃焼機器に内蔵される制御ユニットに接続可能な外部設定器であって、燃焼機器の運転条件に関する各種設定項目の設定データを入力するための入力手段を備え、入力手段で入力した設定データを制御ユニットに送信して記憶させるものにおいて、構造を簡略化し、コストを抑える。【解決手段】  入力手段を複数のディップスイッチ２で構成し、これらディップスイッチ２のオン・オフの組合せで表されるコード信号を設定データとして制御ユニット５ａに送信する。【選択図】  図１
2006329481.tif 000002
【特許請求の範囲】
【請求項１】
燃焼機器に内蔵される制御ユニットに通信ケーブルを介して接続可能な外部設定器であって、燃焼機器の運転条件に関する各種設定項目の設定データを入力するための入力手段を備え、入力手段で入力した設定データを制御ユニットに送信して記憶させるものにおいて、
入力手段は複数のディップスイッチで構成され、これらディップスイッチのオン・オフの組合せで表されるコード信号が設定データとして制御ユニットに送信されることを特徴とする燃焼機器用の外部設定器。
【請求項２】
前記各ディップスイッチに隣接して各ディップスイッチのオン・オフに応じて点灯・消灯するランプが設けられていることを特徴とする燃焼機器用の外部設定器。
【請求項３】
前記制御ユニットに記憶された設定データを読込む読込み手段と、読込み手段で読込んだ設定データを表示する表示手段とを備えることを特徴とする請求項１又は２記載の燃焼機器用の外部設定器。
【発明の詳細な説明】
【技術分野】
【０００１】
本発明は、燃焼機器に内蔵される制御ユニットに接続して、ガス種や排気筒長さ等の燃焼機器の運転条件に関する各種設定項目の設定データを入力手段により入力し、入力した設定データを制御ユニットに送信して記憶させる燃焼機器用の外部設定器に関する。
【背景技術】
【０００２】
燃焼機器は、運転条件に関する各種設定項目の設定データを、燃焼機器の設置状況に合わせて変更することが必要になる場合がある。この場合、従来は、燃焼機器に付属するリモコンを用い、このリモコンの特殊操作により、燃焼機器に内蔵される制御ユニットに記憶されている設定データを変更するようにしている（特許文献１参照）。
【０００３】
ところで、マンション等の集合住宅では各戸に設置する燃焼機器の運転条件が基本的に同一になる。この場合、各戸の燃焼機器ごとに各リモコンを用いて個別に設定データを変更したのでは、手間がかかり面倒である。
【０００４】
ここで、上記特許文献１には、設定データの入力手段を有する外部設定器を燃焼機器に内蔵される制御ユニットに接続し、入力手段で入力した設定データを制御ユニットに送信して記憶させることも記載されている。この外部設定器は、一般的に、入力手段としてのテンキーを有し、燃焼機器側から電源を供給する４芯ケーブルを介して燃焼機器の制御ユニットに接続して、テンキーの操作で入力した設定データを制御ユニットに送信するように構成されている。
【０００５】
この外部設定器に、電源を落としても記憶されたデータを保持する不揮発性メモリ等の記憶装置を設け、テンキーにより入力した設定データを記憶装置に記憶させるようにすれば、各燃焼機器の設定データを変更する際に、記憶装置に記憶された設定データを制御ユニットに送信するだけで済む。このため、各燃焼機器ごとにテンキーにより設定データを入力する手間が省け、作業が容易となる。
【０００６】
しかしながら、不揮発性メモリ等の記憶装置を外部設定器に設けると、外部設定器のコストが高くなるという問題がある。
【特許文献１】特許第２６３３４３７号公報（第２−３頁、第１図）
【発明の開示】
【発明が解決しようとする課題】
【０００７】
本発明は、以上の点に鑑み、構造を簡略化し、コストを抑えた外部設定器を提供することを目的とする。
【課題を解決するための手段】
【０００８】
上記目的を達成するため、本発明では、燃焼機器に内蔵される制御ユニットに通信ケーブルを介して接続可能な外部設定器であって、燃焼機器の運転条件に関する各種設定項目の設定データを入力するための入力手段を備え、入力手段で入力した設定データを制御ユニットに送信して記憶させるものにおいて、入力手段は複数のディップスイッチで構成され、これらディップスイッチのオン・オフの組合せで表されるコード信号が設定データとして制御ユニットに送信されることを特徴とする。
【０００９】
かかる構成によれば、各ディップスイッチを一度操作して、夫々のオン・オフを切換えれば、各ディップスイッチ自体が設定データを機械的に記憶することとなる。このため、マンション等の集合住宅では各戸に設置する燃焼機器の運転条件が基本的に同一になるが、この場合、一度各ディップスイッチを操作するだけで、後は外部設定器を各燃焼機器の制御ユニットに接続し、コード信号を送信するだけでよい。これにより、各燃焼機器ごとに入力手段により設定データを入力する手間が省け、設定データの変更作業が容易となる。又、電源を落としても記憶されたデータを保持する不揮発性メモリ等の記憶装置を設ける必要がないため、構造を簡略化することができ、コストを抑えることができる。
【００１０】
ここで、ディップスイッチは非常に小さいものであるため、オン・オフのどちらに切換えられているかを一目で視認することは困難である。その為、設置業者は個々のディップスイッチが正しく切換えられているか否かを慎重に確認する必要があり、面倒である。
【００１１】
この場合、各ディップスイッチに隣接して各ディップスイッチのオン・オフに応じて点灯・消灯するランプを設ければ、ディップスイッチのオン・オフを容易に確認することができ、有利である。
【００１２】
又、制御ユニットに記憶された設定データを読込む読込み手段と、読込み手段で読込んだ設定データを表示する表示手段とを備えておけば、外部設定器から送信した設定データが正確に制御ユニットに記憶されたか否かを表示手段で確認することができ、有利である。
【発明を実施するための最良の形態】
【００１３】
本発明の実施の形態を図１を参照して説明する。図１は本発明の外部設定器の実施形態を示した説明図である。
【００１４】
本発明の実施形態の外部設定器１には、夫々、オン・オフ切換用のノブ２ａを有する８個のディップスイッチ２を横一列に並べて１ユニットとしたスイッチユニット３が縦に４個（ディップスイッチ２は合計３２個）、配置されている。各ディップスイッチ２は、ノブ２ａを上方に移動させるとオン、下方に移動させるとオフに切換えられる。
【００１５】
これらディップスイッチ２は、ガス種や排気筒長さ等の燃焼機器の運転条件に関する各種設定項目の設定データの入力手段として機能する。例えば、設定項目としての排気筒長さに関して、短、標準、長、極長の４つのデータがある場合、２個のディップスイッチ２を排気筒長さに関する設定データの入力手段とし、２個のディップスイッチ２が共にオフのときは短、一方がオフで他方がオンのときは標準、一方がオンで他方がオフのときは長、両方が共にオンのときは極長が設定データとして選択されるようにする。
【００１６】
又、外部設定器１には、４芯ケーブルから成る通信ケーブル４１を介して燃焼機器５の制御ユニット５ａと接続するためのシリアルコネクタ４２と、各ディップスイッチ２により設定された設定データを制御ユニット５ａに送信する送信用ボタン６１と、送信用ボタン６１に隣接して配置され、送信が完了すると点灯するＬＥＤ６２とが設けられている。
【００１７】
制御ユニット５ａには燃焼機器５の運転条件に関する各種設定項目の各設定データに対応する各制御データが全て記憶されている。制御ユニット５ａは、外部設定器１から送信された設定データを記憶し、この設定データに対応する制御データを選択して、燃焼機器５の運転を制御する。
【００１８】
又、外部設定器１には、各ディップスイッチ２のオン・オフに応じて点灯・消灯する３２個のＬＥＤ（ランプ）７が各ディップスイッチ２に隣接して配置されている。各ディップスイッチ２は非常に小さいものであるため、各ディップスイッチ２を一目見ただけではオン・オフのどちらに切り換えられているか確認することが困難であるが、実施形態の外部設定器１によれば、各ＬＥＤ７が各ディップスイッチ２のオン・オフに応じて点灯・消灯するため、容易に確認することができる。
【００１９】
又、外部設定器１には、制御ユニット５ａに記憶された設定データを読込む読込み手段としての読込用ボタン８１と、読込んだ設定データを表示する、横に８個、縦に４個の長方形状に配置された合計３２個のＬＥＤ８２ａで構成される表示手段としての表示部８２とが設けられている。表示部８２の表示と、各ＬＥＤ７の表示とを比較することにより、外部設定器１から送信した設定データが正確に制御ユニット５ａに記憶されたか否かを確認することができる。
【００２０】
本実施形態の外部設定器１を使用する際には、まず、シリアルコネクタ４２に通信ケーブル４１を接続し、通信ケーブル４１を制御ユニット５ａに接続する。ここで、通信ケーブル４１として４芯ケーブルを用い、燃焼機器５側から外部設定器１の電源を供給するようにすれば、外部設定器１に電源を設ける必要がなく、便利である。又、制御ユニット５ａは、一般的に、基板を交換する際に基板間でデータを転送するために使用されるコネクタ（図示省略）を備えているため、これに通信ケーブル４１を接続するようにすれば、制御ユニット５ａに別途外部設定器１用のコネクタを設ける必要がなく、便利である。
【００２１】
そして、燃焼機器５の設置状況に合わせて、各ディップスイッチ２のオン・オフを切換えることにより、設定データを入力する。各ディップスイッチ２を切換えた後は、送信用ボタン６１を押す。これによれば、複数のディップスイッチ２のオン・オフの組合せで表されるコード信号が設定データとして制御ユニット５ａに送信され、設定データが制御ユニット５ａに記憶される。設定データの送信が完了するとＬＥＤ６２が点灯し、送信が完了したことを確認することができる。そして、読込み手段としての読込用ボタン８１を押して、表示部８２に制御ユニット５ａに記憶された設定データを表示させ、設定データが正確に制御ユニット５ａに記憶されたか否かを確認する。
【００２２】
ここで、マンション等の集合住宅では各戸に設置する燃焼機器の運転条件が基本的に同一になる。このような、他の燃焼機器５の設定データを同一内容の設定データに変更する場合には、各ディップスイッチ２が設定データを機械的に記憶するため、一度、各ディップスイッチ２のオン・オフの切換えを行えば、後は、外部設定器１を各燃焼機器５の制御ユニット５ａに接続し、送信用ボタン６１を押して、設定データとしてのコード信号を制御ユニット５ａに送信して記憶させるだけでよい。これにより、各燃焼機器５ごとに設定データを入力する手間が省け、設定データの変更作業が容易となる。又、外部設定器１に電源を落としても記憶されたデータを保持する不揮発性メモリ等の記憶装置を設ける必要がないため、外部設定器１の構造を簡略化することができ、コストを抑えることができる。
【００２３】
尚、実施形態においては、表示手段として３２個のＬＥＤで構成される表示部８２を用いているが、制御ユニット５ａに記憶された設定データを確認することができれば他のものでもよく、例えば、７セグメントＬＥＤを用いて制御ユニット５ａに記憶された設定データを表示し、確認できるようにしてもよい。
【図面の簡単な説明】
【００２４】
【図１】本発明の外部設定器の実施形態を示した説明図。
【符号の説明】
【００２５】
１…外部設定器、  ２…ディップスイッチ、  ４１…通信ケーブル、  ５…燃焼機器、  ５ａ…制御ユニット、  ７…ＬＥＤ（ランプ）、  ８１…読込用ボタン（読込み手段）、  ８２…表示部（表示手段）。
【図１】
2006329481.tif 000003